(57)【要約】【課題】発光体が直接視認不可能な場所に設置されている場合にも、発光体の発光を確実に視認可能であり、発光によるパフォーマンス効果を向上可能な時計を提供する。【解決手段】本発明に係る時計は、時計本体部と、時計本体部に設置される発光体１ｓｐと、被視認面６０Ｓを有し、発光体１ｓｐの光の出射側に配置され、発光体１ｓｐからの出射光を被視認面６０Ｓ側へ導く光透過性の導光手段６０Ｌと、被視認面６０Ｓの反対面に対向して配置され、発光手段１ｓｐからの入射光を被視認面６０Ｓ側へ反射する反射手段５６とを有する。【選択図】　図４
2004045163.tif 000002
【特許請求の範囲】
【請求項１】
時計本体部と、
前記時計本体部に設置される発光体と、
被視認面を有し、前記発光体の光の出射側に配置され、前記発光体からの出射光を前記被視認面側へ導く光透過性の導光手段と、
前記被視認面の反対面に対向して配置され、前記発光手段からの入射光を前記被視認面側へ反射する反射手段と
を有する
時計。
【請求項２】
前記発光体の発光の中心は、前記導光手段の厚さ方向の中心よりも前記被視認面側に位置している
請求項１に記載の時計。
【請求項３】
少なくとも、前記導光手段の前記被視認面または前記反射手段の光入射面には、前記発光体からの出射光を前記被視認面側へ反射する複数の反射部が形成されている
請求項１または２に記載の時計。
【請求項４】
前記反射手段の前記光入射面には、銀パール蒸着が施されている
請求項１〜３のいずれかに記載の時計。
【請求項５】
前記反射手段は、前記発光体の発光時に回転する
請求項１〜４のいずれかに記載の時計。
【発明の詳細な説明】
【０００１】
【発明の属する技術分野】
本発明は、たとえば所定時刻に発光体の発光等のからくり動作を行なう時計に関する。特定的には、本発明は、発光体が直接視認不可能な場所に設置されている場合にも、発光体の発光を確実に視認可能であり、発光によるパフォーマンス効果を向上可能な時計に関する。
【０００２】
【従来の技術】
時計として、たとえば毎正時に、備え付けられたスピーカーから電子音によるメロディを演奏し、それに伴いたとえば文字板表面に設けられた発光体を発光させる等のパフォーマンスを実行するからくり時計が知られている。
【０００３】
従来は、発光体が発光していることをユーザーに認識させ、発光によるパフォーマンス効果を最大限得るために、発光体はユーザーから直接視認可能な場所に配置していた。
【０００４】
【発明が解決しようとする課題】
しかしながら、デザイン上の理由や、ユーザーに発光体を直接見つめさせたくない等の理由により、発光体をユーザーが直接視認できない場所に配置する場合も発生する。
【０００５】
このような場合には、発光体からの光がユーザーに視認されにくく、結果として発光によるパフォーマンス効果を低下させる要因となっていた。
【０００６】
したがって、本発明においては、発光体が直接視認不可能な場所に設置されている場合にも、発光体の発光を確実に視認可能であり、発光によるパフォーマンス効果を向上可能な時計を提供することを目的とする。
【０００７】
【課題を解決するための手段】
本発明に係る時計は、時計本体部と、当該時計本体部に設置される発光体と、被視認面を有し、前記発光体の光の出射側に配置され、前記発光体からの出射光を前記被視認面側へ導く光透過性の導光手段と、前記被視認面の反対面に対向して配置され、前記発光手段からの入射光を前記被視認面側へ反射する反射手段とを有する時計である。
【０００８】
本発明においては、時刻を計時する時計本体部に設置される発光体からの光の出射側に、光透過性の導光手段が配置される。
また、導光手段の被視認面の反対側には、導光手段と所定距離をおいて対向するように反射手段が配置される。
【０００９】
発光体から出射された光は、一部が導光手段を通過してその被視認面側に導かれる。出射光の別の一部は、直接、または導光手段を通過して反射手段に入射し、その光入射面において反射され再び導光手段を通過して被視認面に到達する。
【００１０】
【発明の実施の形態】
以下、本発明の実施の形態について、添付図面を参照しながら述べる。なお、以下では、一例として、本発明に係る時計が、発光体の発光等のからくり動作（パフォーマンス）に用いるカレンダー情報を、標準電波を受信することにより入手し、かつ、この標準電波を利用して指針の位置を自動修正する機能も有する場合について述べる。
【００１１】
〔回路構成〕
図１は、本発明の一実施形態に係るからくり時計の制御系の概略構成図である。
図１に示す制御系は、標準電波受信系１１と、モニタースイッチ１２と、発振回路１３と、制御回路１４と、バッファ回路１７と、モード切替スイッチ１９と、メロディメモリ２１と、ＣｄＳ（Ｃａｄｍｉｕｍ　Ｓｕｌｐｈｉｄｅ）センサ２３と、音源回路２５と、スピーカーＳＰと、ステッピングモータ１２１，１３１と，反射板用モータＭとを有する。
【００１２】
また、図１に示す制御系は、図中に示すように、本発明における発光体に相当する１２個のＬＥＤ（Ｌｉｇｈｔ　Ｅｍｉｔｔｉｎｇ　Ｄｉｏｄｅ）も有する。詳しくは後ほど述べるが、ＬＥＤ１ｓｐ，ＬＥＤ２ｓｐ，ＬＥＤ３ｓｐが、季節が春のときの発光パフォーマンスに用いられる春用ＬＥＤであり、同様に、ＬＥＤ１ｓｕ，ＬＥＤ２ｓｕ，ＬＥＤ３ｓｕが夏用ＬＥＤであり、ＬＥＤ１ａｕ，ＬＥＤ２ａｕ，ＬＥＤ３ａｕが秋用ＬＥＤであり、ＬＥＤ１ｗｉ，ＬＥＤ２ｗｉ，ＬＥＤ３ｗｉが冬用ＬＥＤである。
【００１３】
標準電波受信系１１は、例えば受信アンテナ１１ａと、送信所から送信されたタイムコードを含む標準電波を受信し、所定の処理を行いパルス信号Ｓ１１として制御回路１４に出力する長波受信回路１１ｂとから構成される。
この長波受信回路１１ｂは、例えばＲＦアンプ、検波回路、整流回路、および積分回路とから構成される。
この標準電波受信系１１により、制御回路１４は、年、月、日等のカレンダー情報と、標準時刻を入手することができる。その入手方法については後述する。
【００１４】
発振回路１３は、水晶発振器ＣＲＹ、キャパシタＣ２，Ｃ３、および抵抗Ｒ１により構成され、所定周波数の基本クロックを制御回路１４に供給する。
また、制御回路１４は、この基本クロックを用いてカウントされる、図示しない内部時計を有している。
【００１５】
ステッピングモータ１２１，１３１は指針を駆動するムーブメントに収容されており、それぞれバッファ回路１７を介して制御回路１４に接続されている。
本実施形態においては、ステッピングモータ１２１が秒針を駆動し、ステッピングモータ１３１が時針および分針を駆動する。
制御回路１４は、通常の運針時には、発振回路１３から供給される基本クロックに基づいてステッピングモータ１２１，１３１を駆動し、時刻修正等の指針位置修正時には、制御信号ＣＴＬ１，ＣＴＬ２を出力してステッピングモータ１２１，１３１をそれぞれ早送り駆動することにより指針位置を修正する。
【００１６】
反射板用モータＭは、制御回路１４からの指令を受けた場合に、後述する反射板を回転させるためのモータである。
ステッピングモータ１２１，１３１と反射板用モータＭは、時計本体部５０の構成要素の一部である。
【００１７】
メロディメモリ２１は、からくり動作時に演奏する電子メロディのデータを収容するためのメモリである。
メロディメモリ２１には、春・夏・秋・冬の各季節用のメロディがそれぞれ４曲ずつ、計１６曲収容されており、その他にも、たとえば正月（１月１日）や子供の日（５月５日）等の特定日に演奏されるメロディが数曲分収容されている。
【００１８】
各メロディデータには、演奏用のデータの他に、ＬＥＤの発光タイミングを制御するための同期信号ＣＴも含まれている。この同期信号ＣＴは、たとえば、各メロディのキー音の立ち上がりに同調するようにすればよい。
【００１９】
音源回路２５としてはたとえばＰＣＭ（Ｐｕｌｓｅ　Ｃｏｄｅ　Ｍｏｄｕｌａｔｉｏｎ）音源が用いられル。音源回路２５は、制御回路１４によりメロディメモリ２１に記憶されている演奏用データＰＬＤが供給されると、その演奏用データＰＬＤに基づいて、発音すべき曲のメロディ信号ＭＳを発生させる。
音源回路２５は、このメロディ信号ＭＳを、スピーカーＳＰを用いて実際に演奏する。
【００２０】
ＬＥＤは、前述のように、春用ＬＥＤ１ｓｐ，ＬＥＤ２ｓｐ，ＬＥＤ３ｓｐと、夏用ＬＥＤ１ｓｕ，ＬＥＤ２ｓｕ，ＬＥＤ３ｓｕ、秋用ＬＥＤ１ａｕ，ＬＥＤ２ａｕ，ＬＥＤ３ａｕ、および冬用ＬＥＤ１ｗｉ，ＬＥＤ２ｗｉ，ＬＥＤ３ｗｉの４つのグループに分けられている。
各ＬＥＤのアノードはグループごとに配線Ｌ１〜Ｌ４にそれぞれまとめて接続される。一方、配線Ｃ１〜Ｃ３のぞれぞれに、各グループから１つずつ選択されたＬＥＤのカソードが接続される。
即ち、図１に図解のように、たとえば春用ＬＥＤ１ｓｐ，ＬＥＤ２ｓｐ，ＬＥＤ３ｓｐの各アノードは配線Ｌ１に接続される。また、たとえば春用ＬＥＤ１ｓｐ，夏用ＬＥＤ１ｓｕ，秋用ＬＥＤ１ａｕ，冬用ＬＥＤ１ｗｉの各カソードが、配線Ｃ１にまとめて接続される。
【００２１】
制御回路１４は、配線Ｌ１〜Ｌ４および配線Ｃ１〜Ｃ３を適宜スイッチングし、図示しない電源から各ＬＥＤへ電力を供給することによって、ＬＥＤの発光を制御する。
上記のような構成においては、制御回路１４は、１つのＬＥＤのグループにおいては、３つのＬＥＤの発光を任意に制御することが可能である。
また、２つ以上のグループ内のＬＥＤを同時に発光させることももちろん可能である。ただし、図１に示す回路構成においては、１２個のＬＥＤの発光の組合せを全て任意に制御することはできない。
【００２２】
ユーザーは、モード切替スイッチ１９を操作することにより、パフォーマンスのモードを切替えることができる。
たとえば、モード切替スイッチ１９が位置ＳＷ１にあるときには、四季連動パフォーマンスモードとなる。四季連動パフォーマンスモードにおいては、制御回路１４がカレンダー情報に基づいて季節を判別し、たとえば毎正時ごとに、各季節に対応したメロディの演奏と、そのメロディの季節に対応するＬＥＤを、各メロディにより予め規定されたタイミングで送出される同期信号ＣＴに同期させて発光させるパフォーマンスを実行する。
実行されるパフォーマンスは、毎正時ごとにサイクリックに変化する。たとえば、春に実行される４種類のパフォーマンスを春パフォーマンス１〜４とすると、制御回路１４は、正時になったことを内部時計によって判断し、パフォーマンスを、毎正時ごとにたとえば春パフォーマンス１、春パフォーマンス２、春パフォーマンス３、春パフォーマンス４、春パフォーマンス１、・・・のように、順番に自動的に変化させる。
【００２３】
また、四季連動パフォーマンスモードにおいては、制御回路１４は、カレンダー情報に基づいて入手した日付が、予め規定した特定日であった場合には、上記のようにパフォーマンスをサイクリックに変化させる代わりに、特定日ごとに予め１つずつ規定しているパフォーマンス（演奏および発光パターン）を、毎正時に常に実行する。
特定日の特定日パフォーマンスにおける発光パターンは、各季節用のメロディに対応した発光パターンとは異なり、好適には４つ全てのグループのＬＥＤを用いて構成される。
【００２４】
モード切替スイッチ１９が位置ＳＷ２にあるときには、サイクリックパフォーマンスモードとなる。サイクリックパフォーマンスモードにおいては、制御回路１４はカレンダー情報を入手せず、季節に応じて用意されている全１６種類のパフォーマンスを、季節に無関係に、毎正時ごとに変化させてサイクリックに実行する。
【００２５】
春の場合と同様に、各季節に実行されるパフォーマンスをそれぞれ夏パフォーマンス１〜４（以下、季節ごとにＰ１〜４と略記する。）、秋Ｐ１〜４、冬Ｐ１〜４とする。詳細には、サイクリックパフォーマンスモード時には、実行されるパフォーマンスが、たとえば春Ｐ１、夏Ｐ１、秋Ｐ１、冬Ｐ１、春Ｐ２、夏Ｐ２、秋Ｐ２、冬Ｐ２、春Ｐ３、夏Ｐ３、秋Ｐ３、冬Ｐ３、春Ｐ４、夏Ｐ４、秋Ｐ４、冬Ｐ４、春Ｐ１、・・・のような順番で、正時ごとに自動的に変化する。
なお、本実施形態においては、たとえば、３〜５月を春、６〜８月を夏、９〜１１月を秋、１２、１、２月を冬とする。
【００２６】
モード切替スイッチ１９が位置ＳＷ３にあるときには、正時ごとのパフォーマンスによる報時を行なわないＯＦＦモードとなる。ただし、ＯＦＦモードにおいても、後述するモニタースイッチ１２からの入力があった場合には、前述したサイクリックパフォーマンスモードの内容でパフォーマンスが実行される。即ち、ＯＦＦモード時にモニタースイッチ１２が入る度に、実行されるパフォーマンスが、上記の１６種類のあいだでサイクリックに切替わる。
【００２７】
ＣｄＳセンサ２３は、本発明に係るからくり時計の外部の明るさを感知する。ＣｄＳセンサ２３は、たとえば、外部が明るく光を感知した場合にはハイレベル信号Ｈを、外部が暗く光を感知しない場合にはローレベル信号Ｌを制御回路１４に出力する。
制御回路１４は、ハイレベル信号Ｈを受け取った場合には、外部が明るいと判断して、正時ごとに、モード切替スイッチ１９により選択されている内容のパフォーマンスを実行する。
制御回路１４は、ローレベル信号Ｌを受け取った場合には、外部が暗いと判断して、四季連動パフォーマンスモードにおいてもサイクリックパフォーマンスモードにおいても、正時ごとの報時パフォーマンスは行なわない。
【００２８】
モニタースイッチ１２は、時刻に関係なく、選択しているパフォーマンスのモードの内容をモニターするためのスイッチである。
四季連動パフォーマンスモードの場合には、モニタースイッチ１２を押すと、制御回路１４が入手している月と時刻の情報に基づいて選択されるパフォーマンスが実行される。選択されるパフォーマンスの種類は、報時時刻から次の報時時刻までの間は同じであるため、その間にモニタースイッチ１２を何度押しても、実行されるパフォーマンスの種類は変化しない。
【００２９】
サイクリックパフォーマンスモードの場合には、モニタースイッチ１２を押すたびに、実行されるパフォーマンスの種類が、たとえば前述のような順番でサイクリックに変化する。
【００３０】
〔時計本体部〕
以下、本実施形態に係るからくり時計の時計本体部の構成について述べる。
図２は本実施形態に係るからくり時計５の構成を述べるための図であり、図２（ａ）がからくり時計５の正面図を、図２（ｂ）が図２（ａ）における断面Ｉ−Ｉから見た断面図を、それぞれ示している。ただし、説明のために、図２（ｂ）においては一部の構成要素の位置を図２（ａ）とは異ならせて描いている。
また、図３は、図２に示すからくり時計５の主要部の分解図である。
【００３１】
図２および図３に示すように、からくり時計５は、裏蓋５２と、中板５４と、反射板５６と、文字板支持板６０と、前板６２を、この順で重ねて設置した時計本体部５０を有する。
リング状の反射板５６は、中板５４と文字板支持板６０との間で回転自在に設置されている。この反射板５６を挟み込んだ中板５４と文字板支持板６０とを、裏蓋５２と前板６２とでさらに挟み込むことにより、時計本体部５０は構成されている。
【００３２】
中板５４には、反射板用モータＭが、裏蓋５２と中板５４との間に位置するように設置される。
また、中板５４には、上述した制御回路１４等の各種回路を含む回路基板１０も設置される。
【００３３】
反射板５６は、内歯歯車となっている回転駆動板５５と一体的に構成されている。回転駆動板５５は、その内周側において、複数の支持ローラー７８によって支持されている。
反射板用モータＭの回転軸には歯車７５が設けられており、この歯車に噛合する歯車７６は、回転駆動板５５の内歯に噛合している。制御回路１４は、からくり動作時に反射板用モータＭに指令信号を出力し、反射板５６を所定の回転数で回転させる。
【００３４】
文字板支持板６０には、その裏側、即ち裏蓋５２側にムーブメント７０が設置される。ムーブメント７０は、図示はしないが周知の中心止めねじによって文字板支持板６０に固定される。
文字板支持板６０の表側の中心部に形成されている凹部６０ａに、文字板７４が嵌め込まれ、その状態からさらに、ムーブメント７０の、文字板支持板６０の表側から文字板支持板６０を貫通した指針軸に、時針７２、分針７３、秒針７１の３つの指針が取付けられる。
【００３５】
ムーブメント７０には、前述した秒針用ステッピングモータ１２１および時分針用ステッピングモータ１３１と、これらの回転駆動力を指針に伝達するための歯車等の駆動機構が収容されている。ステッピングモータ１２１，１３１が回路基板１０の制御回路１４からの制御指令を受けて駆動されることによって、前述のように指針の駆動および位置修正が行なわれる。
【００３６】
また、図２に示すように、文字板支持板６０にはＣｄＳセンサ２３も設置される。
文字板支持板６０の表側から設置される前板６２の前面にガラス等の保護板を取付けることによって、指針やＣｄＳセンサ２３が保護される。
【００３７】
また、前述の１２個のＬＥＤ１〜３ｓｐ，１〜３ｓｕ，１〜３ａｕ，１〜３ｗｉを、配線板８１に設置配線したことにより構成される発光部５８が、反射板５６と文字板支持板６０との間の空間に配置される。
ＬＥＤ１〜３ｓｐとしてはたとえば波長５１８ｎｍの青緑色のＬＥＤが用いられ、これらはそれぞれ文字板７４における１２，４，８時の位置に配置される。
ＬＥＤ１〜３ｓｕとしてはたとえば波長４６５ｎｍの青色のＬＥＤが用いられ、これらはそれぞれ文字板７４における１，５，９時の位置に配置される。
ＬＥＤ１〜３ａｕとしてはたとえば波長５９０ｎｍの黄色のＬＥＤが用いられ、これらはそれぞれ文字板７４における２，６，１０時の位置に配置される。
ＬＥＤ１〜３ｗｉとしてはたとえば波長６６０ｎｍの橙色のＬＥＤが用いられ、これらはそれぞれ文字板７４における３，７，１１時の位置に配置される。
【００３８】
〔導光構造〕
図４は、図２（ｂ）の、１２時位置に配置されたＬＥＤ１ｓｐを中心とした一部の拡大図である。
図３および図４に示すように、文字板支持板６０は、その中心部に文字板支持部６０Ｂを有しており、文字板支持部６０Ｂの外側に、導光部６０Ｌをさらに有する。
導光部６０Ｌが、本発明における導光手段の一実施態様に相当する。
本実施形態においては、導光部６０Ｌと、それよりも高さの高い文字板支持部６０Ｂとを、たとえば透明なアクリル樹脂等の材料により一体的に形成している。したがって、文字板支持板６０は、断面から見ると全体として凸形状になっている。
【００３９】
この凸部に相当する文字板支持部６０Ｂの表側には、文字板７４を嵌込むための凹部６０ａが形成されている。
また、文字板支持部６０Ｂの裏側にも同様に凹部が形成されている。したがって、断面から見ると導光部６０Ｌはリング状になっており、このリング状導光部６０Ｌの内周側、即ち文字板支持部６０Ｂの裏側に形成された凹状空間６０ＳＰに、発光部５８が配置される。
【００４０】
図４に示すように、配線板８１をねじ８５により文字板支持部６０Ｂにねじ止めすることによって、発光部５８が文字板支持板６０に装着される。
発光部５８の各ＬＥＤは、文字板支持板６０の外周側に向かって発光するように配置される。
【００４１】
文字板支持部６０Ｂの凹部６０ａには文字板７４が嵌込まれており、この文字板７４は、時計本体部５０のムーブメント等の内部機構が見えないようにするために、通常不透明である。したがって、ＬＥＤからの光を文字板７４側から直接認識することはできない。
以下では、ＬＥＤからの光を文字板７４側から間接的に認識可能とするための導光構造について、ＬＥＤとして春用ＬＥＤ１ｓｐを例に挙げて述べる。
【００４２】
図５は、文字板支持板６０の導光構造について述べるための図である。図５（ａ）が文字板支持板６０の部分斜視図であり、図５（ｂ）が導光部６０Ｌを表側から見た部分平面図であり、図５（ｃ）が文字板支持板６０と反射板５６とＬＥＤ１ｓｐとの関係を示す要部の断面図である。ただし、図５（ｃ）における各要素は模式的に描いているために、図４に示す形状とは異なっている部分も存在する。
【００４３】
前述のように、ＬＥＤ１ｓｐは、図５（ａ）に示す文字板支持部６０Ｂの裏側に形成されている空間ＳＰに配置される。ＬＥＤ１ｓｐから出射された光は、図５（ｂ）の矢印ＤＬによって示すように、ＬＥＤ１ｓｐの光の出射側に配置されている導光部６０Ｌの内周側から外周側に向かって進行する。また、リング状の導光部６０Ｌは、その厚さ方向が、ＬＥＤ１ｓｐからの出射光の光軸方向に直交するように配置される。
導光部６０Ｌの表側の表面６０Ｓ、即ち被視認面には、図５（ａ），（ｂ）に示すように、表側から見て菱形部ＬＤを組合わせた形状になるような凸部６０Ｌｃが形成されている。凸部６０Ｌｃは、本発明における反射部の一実施態様である。
各菱形部ＬＤの各辺が、各凸部６０Ｌｃによって構成される。また、４つの凸部６０Ｌｃによって囲まれる部分が、図５（ｂ）に示す菱形部ＬＤ内の小菱形部ＳＤになる。
各凸部６０Ｌｃは、光透過性であるとする。たとえば、各凸部６０Ｌｃは、透明なアクリル樹脂を用いて射出成形することにより、導光部６０Ｌと一体的に形成する。
【００４４】
側面から見た場合に、ＬＥＤ１ｓｐの発光の中心ＬＣと、導光部６０Ｌの板厚方向の中心ＴＣの高さがほぼ同じであると、ＬＥＤ１ｓｐから出射される光の大部分が、導光部６０Ｌ内を通過して導光部６０Ｌの端部へ到達する。したがって、この場合に導光部６０Ｌの表側からＬＥＤ１ｓｐの光を認識することはほとんどできない。
【００４５】
本実施形態においては、凸部６０Ｌｃを利用してＬＥＤ１ｓｐからの出射光を表側に反射させるために、導光部６０Ｌの板厚方向の中心ＴＣよりもＬＥＤ１ｓｐの発光の中心ＬＣが表側に位置するように、ＬＥＤ１ｓｐを配置している。
これにより、より多くの、かつ高強度の光を、空気と各凸部６０Ｌｃとの屈折率の違いにより反射させて、導光部６０Ｌの被視認面側に導くことが可能になる。そのために、各凸部６０Ｌｃの形状は、図５（ｃ）に示すように、ＬＥＤ１ｓｐからの光を、導光部６０Ｌの半径方向に対して垂直に、即ち導光部６０Ｌの板厚方向に沿って、被視認面側に向けて反射可能な形状になっている。
【００４６】
図６は、反射板５６の導光構造について述べるための図である。図６（ａ）が反射板５６の部分斜視図であり、図６（ｂ）が反射板５６を表側から見た部分平面図であり、図６（ｃ）が文字板支持板６０と反射板５６とＬＥＤ１ｓｐとの関係を示す要部の断面図である。ただし、図６（ｃ）においても、図５（ｃ）の場合と同様に、各要素は模式的に描いているために、図４に示す形状とは異なっている部分も存在する。
反射板５６が、本発明における反射手段の一実施態様に相当する。
【００４７】
図６（ａ），（ｂ）に示すように、反射板５６の表側の表面５６Ｓ、即ちＬＥＤ１ｓｐからの光の入射面には、半径方向に、半径方向に直交する断面が逆三角形状の複数の溝５６Ｇが形成されている。また、この溝５６Ｇを遮るように、複数の逆三角形状の反射面９０がさらに設けられている。反射面９０は、本発明における反射部の一実施形態である。
また、ＬＥＤ１ｓｐは、リング状の反射板５６の内周部側から半径方向外側に向かって発光することになる。
【００４８】
図６（ｃ）に示すように、反射板５６は、導光部６０Ｌの裏側に、所定距離をおいて対向するように配置される。
また、ＬＥＤ１ｓｐは、導光部６０Ｌの板厚方向の中心ＴＣよりもＬＥＤ１ｓｐの発光の中心ＬＣが表側に位置するように配置されている。したがって、ＬＥＤ１ｓｐの発光の中心ＬＣは、反射板５６の表面５６Ｓよりも表側に位置する。このため、ＬＥＤ１ｓｐが半径方向外側に向かって発光する場合にも、ＬＥＤ１ｓｐからの光を、ある程度効率的に表面５６Ｓに照射させることができる。
【００４９】
反射面９０は、図６（ｃ）に示すように、ＬＥＤ１ｓｐからの照射光を、反射板５６の半径方向に対して垂直に、即ち反射板５６の板厚方向に沿って、導光部６０Ｌの被視認面側に向けて反射可能な形状に形成される。
このような反射面９０および溝５６Ｇを有する反射板５６は、たとえば、プラスチック等の樹脂材料を射出成形することにより形成する。
また、溝５６Ｇおよび反射面９０が形成されている表面５６Ｓには、好適には銀パール蒸着塗装を施す。銀パール蒸着塗装とは、銀にパール（真珠色）の微粒塗料を混入させて、蒸着により塗装したものである。
【００５０】
ＬＥＤ１ｓｐからの光は、その大部分が、光透過性の導光部６０Ｌを通過して反射板５６の表面５６Ｓに到達する。表面５６Ｓに入射した光は、表面５６Ｓおよび反射面９０によって反射され、ふたたび導光部６０Ｌを通過して導光部６０Ｌの表側に出射する。
このとき、本実施形態においては、表面５６Ｓには反射面９０が設けられているため、多くの光を反射板５６の半径方向に垂直な方向で、表側に反射することができる。
また、反射面９０による反射以外にも、銀パール塗装のパールの微粒子によって入射光が乱反射する効果により、反射板５６の半径方向に垂直な方向で表側に導かれる光が多くなる。
【００５１】
このように、本実施形態においては、導光部６０Ｌと反射板５６の形状と、それらとＬＥＤ１ｓｐとの位置関係、また、これらの相乗効果により、ＬＥＤ１ｓｐを直接視認できない場合にも、ＬＥＤ１ｓｐからの光を確実に視認することができる。
また、この構造を利用することによって、ＬＥＤの配置の自由度が増し、時計本体部５０のデザインの自由度を向上させることができる。
さらに、ユーザーには、反射板５６の回転や、反射板５６の表側に形成された反射面９０、ならびに凸部６０Ｌｃにより変化した光が認識されるため、発光によって得られるパフォーマンス効果が非常に高い。
【００５２】
なお、ＬＥＤ１ｓｐの輝度が高く、図５（ｃ）に示すように光の出射角度θが大きいほど、ＬＥＤ１ｓｐからの光を視認し易くなることは言うまでもない。
本実施形態においては、一例として、春用ＬＥＤ１〜３ｓｐの出射角度θは３０°、輝度は４５００ｍｃｄであり、夏用ＬＥＤ１〜３ｓｕの出射角度θは３０°、輝度は１４００ｍｃｄであり、秋用ＬＥＤ１〜３ａｕの出射角度θは３４°、輝度は１３００ｍｃｄであり、冬用ＬＥＤ１〜３ｗｉの出射角度θは５０°、輝度は２５００ｍｃｄである。
【００５３】
また、ＬＥＤ１ｓｐの発光の中心ＬＣと、導光部６０Ｌの板厚方向の中心ＴＣとの距離は、短すぎても長すぎても、表面６０Ｓおよび表面５６Ｓに入射する光が減少する。好適には、導光部６０Ｌの板厚方向の中心ＴＣとの距離は、表面６０Ｓおよび表面５６Ｓに入射する光が最も多くなるように規定する。
菱形部ＬＤおよび反射面９０の密度についても、入射光が最も効率的に視認されるように規定する。
【００５４】
〔カレンダー情報入手方法〕
以下では、四季連動パフォーマンスモード時に必要とされるカレンダー情報の入手方法について述べる。
なお、本実施形態においては標準電波を受信することによりカレンダー情報を入手する形態について述べるが、図示しないカレンダー情報メモリ、または制御回路１４に所定年数分のカレンダー情報を収容しておき、そこから、制御回路１４の内部時計のカウントに応じてカレンダー情報を取り出すような構成にしてもよい。
【００５５】
標準電波によってカレンダー情報および標準時刻を入手する場合には、図７（ａ）に示すような形態の、日本標準時（ＪＳＴ）を高精度で伝える長波の標準電波（ＪＪＹ）を用いる。
具体的には、ＪＪＹのタイムコードは「１」信号、「０」信号、「Ｐ」信号の３種類の信号パターンから構成され、それぞれの信号パターンは、１秒（ｓ）中の１００％振幅期間幅によって区別されている。つまり、「１」信号を表わす場合には１秒（ｓ）の間に５００ｍｓ（０．５ｓ）だけ所定の周波数の信号が送信され、「０」信号を表わす場合には１秒（ｓ）の間に８００ｍｓ（０．８ｓ）だけ所定の周波数の信号が送信され、「Ｐ」信号を表わす場合には１秒（ｓ）の間に２００ｍｓ（０．２ｓ）だけ所定の周波数の信号が送信されてくる。
そして、受信状態が良好な場合には、標準電波受信系１１からは図７（ｂ）に示すように、標準電波の波形に応じたパルス信号として信号Ｓ１１が、長波受信回路１１ｂから制御回路１４に出力される。
【００５６】
なお、日本の標準電波ＪＪＹは、２００２年６月３０日現在、独立行政法人通信総合研究所（ＣＲＬ）のもとで運用されている。標準電波の周波数としては、これまで４０ｋＨｚのものが使用されてきたが、２００１年１０月１日からは、６０ｋＨｚの標準電波を送信する送信所も開局されている。
また、図７（ｂ）に示す、変調波であるパルス信号の振幅は最大１００％、最小１０％である。
【００５７】
次に、長波標準電波の送信データについて説明する。
図８は、標準電波信号のタイムコードの一例である。
図８に示す通り、タイムコードは１分１周期（１フレーム）としてこれを６０分割し、１秒間ごとに１ビットの情報を割り当てて送信している。
【００５８】
タイムコードが送信する情報は時、分、１月１日からの通算日、年（西暦下２桁）、曜日、うるう秒情報、時と分に対応するパリティ、予備ビット、停波予告情報であり、このうち時、分、１月１日からの通算日、年（西暦下２桁）、曜日に関しては２進数（ＢＣＤ（Ｂｉｎａｒｙ　Ｃｏｄｅｄ　Ｄｅｃｉｍａｌ　Ｎｏｔａｔｉｏｎ：２進化１０進法）正論理）として表わし送信する。従って、時には２４時間制ＪＳＴの時を表わすために６ビット、分には７ビット、通算日には１０ビット、年には８ビット、曜日には３ビット必要となる。
なお、秒信号については、秒は電波のパルス信号の立ち上がりとし、パルスの立ち上がりの５５％値（１０％値と１００％値の中央）が標準時の１秒信号に同期する。
【００５９】
Ｐ信号は１フレームに７回送信され、正分（０秒）に対応するものがマーカーＭと呼ばれ、９秒、１９秒、２９秒、３９秒、４９秒に対応するものがそれぞれポジションマーカーＰ１〜Ｐ５と呼ばれる。
なお、もう１つのポジションマーカーＰ０は、通常（非うるう秒時）は５９秒の立ち上がりに対応する。このＰ信号が続けて現れるのは１フレーム中１回で５９秒、０秒の時、つまりポジションマーカーＰ０、マーカーＭと続くときだけで、この続けて現れる位置が正分位置となる。つまり分・時データ等の時刻データはこの正分位置を基準としてフレーム中の位置が決まっているため、この正分位置の検出を正確に行なわないと時刻データを取り出すことはできない。
【００６０】
ただし、標準電波のフレームのフォーマットは毎分同じわけではなく、図８に示すように、毎時１５分および４５分時のフォーマットと、それ以外の分の時刻のフォーマットは異なっている。ＳＵ１、ＳＵ２と名付けられた予備ビットと、ＬＳ１、ＬＳ２と名付けられたうるう秒情報は図８（ａ）に示す１５分、４５分以外のフォーマットのみに含まれ、図８（ｂ）に示すように、呼び出し符号と停波情報が、年情報と曜日情報の代わりに１５分、４５分のフォーマットにのみ現れる。
【００６１】
このように、タイムコードを含む標準電波を、たとえば所定の時刻や、ＣｄＳセンサ２３によって外部が暗くなったと判断された時に受信し、そこから得られるパルス信号をデコードすることにより、月、日、曜日等のカレンダー情報や、標準時刻を入手することができる。
制御回路１４は、積算日に基づいて、月、日を判断し、季節と特定日の情報を入手する。
また、標準電波受信時に取得されたカレンダー情報は、図示しないＲＡＭ（Ｒａｎｄｏｍ　Ａｃｃｅｓｓ　Ｍｅｍｏｒｙ）等の記憶手段によって実現されるワーキングエリアに収容しておき、カレンダー情報取得ごとに上書きしていくことが、制御回路１４の処理の都合上好ましい。
なお、入手した標準時刻への指針位置の修正方法およびその機構については種種提案されている周知技術を用いればよいため、ここでの記載は省略する。
【００６２】
〔パフォーマンス実行処理〕
以下に、カレンダー情報を用いた、四季連動パフォーマンスモード時の処理について述べる。
図９は、本発明の一実施形態における四季連動パフォーマンスの実行処理の流れを示すフローチャートの一例である。
なお、以下の処理は、特に断りがない限り、制御回路１４により実行される。
からくり時計５が時刻を表示している場合には、制御回路１４は、所定のサンプリング間隔ごとに図示しないＲＡＭにアクセスし、そこに収容されているカレンダー情報を入手する（ステップＳＴ１）。
【００６３】
入手したカレンダー情報に基づいて、演奏すべきメロディと、そのメロディに対応するＬＥＤのグループを選択する（ステップＳＴ２）。
選択されたＬＥＤのグループの発光パターンは、選択したメロディのメロディデータ中の同期信号ＣＴによって制御されるため、メロディと、ＬＥＤのグループが選択されれば、実行するパフォーマンスは実質的に選択されたことになる。
カレンダー情報に基づいた、季節に応じたメロディの選択方法については、図１０を参照して後述する。
【００６４】
パフォーマンスが選択された状態で、制御回路１４は、モニタースイッチ１２からの入力があるかどうかを判断する（ステップＳＴ３）。
モニタースイッチ１２が押されておらず、入力がない場合には、現在パフォーマンスが行なわれているかどうかを判断する（ステップＳＴ４）。
【００６５】
現在パフォーマンスが行なわれていない場合には、制御回路１４は、内部時計の時刻を参照して、パフォーマンスを実行すべき時、たとえば正時であるかどうかを判断する（ステップＳＴ５）。
正時の場合にはステップＳＴ２において選択したパフォーマンスを実行し（ステップＳＴ６）、正時でない場合には、今回の処理ループより以前において実行されたパフォーマンスも含めて、現在パフォーマンスが実行中であるかどうかを判断する（ステップＳＴ７）。
【００６６】
ステップＳＴ７において、パフォーマンスが実行中であると判断された場合には、ステップＳＴ１に戻り、パフォーマンスを選択し直して、モニタースイッチ１２による割込みがあるかどうかを判定し直す。この間、実行中のパフォーマンスはそのまま実行を続ける。
ステップＳＴ１〜７の処理は、実行されたパフォーマンスが終了するまで繰り返される。制御回路１４は、メロディデータに基づいて、メロディが終了した時点でパフォーマンスを終了させ、待機状態になってからまたステップＳＴ１の処理に戻る（ステップＳＴ８）。
【００６７】
ステップＳＴ３において、モニタースイッチ１２からの入力があった場合には、ステップＳＴ６へ進み、ステップＳＴ２において選択していたパフォーマンスを実行する。
ステップＳＴ４において、モニター入力はないがパフォーマンスは実行されている場合、即ち前回のループの処理におけるパフォーマンスが実行中の場合には、制御回路１４は正時かどうかの判断は行なわずにステップＳＴ７に進み、パフォーマンスの終了かどうかを判断する。
【００６８】
以上の処理により、図９のフローチャートの処理においては、制御回路１４は、モニター入力によるパフォーマンスの実行中には、正時になってもまた最初からパフォーマンスを実行し直すことはしないことが分かる。
その一方で、パフォーマンス中にモニタースイッチからの入力があると、制御回路１４は、実行中のパフォーマンスを中止し、ステップＳＴ２において選択した新たなパフォーマンスを開始する。
【００６９】
図９のステップＳＴ２の、制御回路１４によるパフォーマンス選択の処理は、たとえば図１０に示すフローチャートに従って実行される。
まず、入手したカレンダー情報から、現在日が、予め規定してある特定日かどうかを判断する（ステップＳＴ１１）。
どの月・日が特定日であるかは図示しないＲＯＭ（Ｒｅａｄ−Ｏｎｌｙ　Ｍｅｍｏｒｙ）に記憶させておき、制御回路１４は、入手したカレンダー情報と、ＲＯＭに記憶してある特定日の月日とを比較することにより上記の判断を行なう。
特定日であった場合には、その特定日に応じた特定のメロディをメロディメモリ２１から選択して呼び出す（ステップＳＴ１２）。
この場合にも、選択したメロディに応じて、発光させるＬＥＤは予め規定されている。ただし、特定日メロディの場合には、発光に用いられるＬＥＤのグループは１つとは限らない。
【００７０】
ステップＳＴ１１において特定日ではないと判断した場合には、カレンダー情報に基づいた月の情報により、春かどうかを判断する（ステップＳＴ１３）。
もし春であった場合には、内部時計による時間情報と照らし合わせて、春メロディ１〜４の中から、時間に応じたメロディを選択する。同時に、発光させるＬＥＤとしてＬＥＤ１〜３ｓｐを選択する（ステップＳＴ１４）。
【００７１】
ステップＳＴ１３において春ではないと判断した場合には、夏かどうかを判断する（ステップＳＴ１５）。
もし夏であった場合には、内部時計による時間情報と照らし合わせて、夏メロディ１〜４の中から、時間に応じたメロディを選択する。同時に、発光させるＬＥＤとしてＬＥＤ１〜３ｓｕを選択する（ステップＳＴ１６）。
【００７２】
ステップＳＴ１５において夏ではないと判断した場合には、秋かどうかを判断する（ステップＳＴ１７）。
もし秋であった場合には、内部時計による時間情報と照らし合わせて、秋メロディ１〜４の中から、時間に応じたメロディを選択する。同時に、発光させるＬＥＤとしてＬＥＤ１〜３ａｕを選択する（ステップＳＴ１８）。
【００７３】
ステップＳＴ１７において秋ではないと判断された場合には、季節は自動的に冬であると判断されるため、季節の判定は行なわず、内部時計による時間情報と照らし合わせて、冬メロディ１〜４の中から、時間に応じたメロディを選択する。同時に、発光させるＬＥＤとしてＬＥＤ１〜３ｗｉを選択する（ステップＳＴ１９）。
以上の処理により、カレンダー情報に基づいて、季節または特定日を判定し、それらに応じたパフォーマンスを選択することができる。
【００７４】
また、図１１は、本発明の一実施形態におけるサイクリックパフォーマンスモードの実行処理の流れを示すフローチャートの一例である。
図１１に示す処理も、特に断りがない限り、制御回路１４により実行される。
サイクリックパフォーマンスモードにおいては、季節に関係なく実行するパフォーマンスを変化させる。したがって、制御回路１４は、季節を判定することなく、モニタースイッチ１２からの入力があるかどうかを判断する（ステップＳＴ２１）。
【００７５】
モニタースイッチ１２からの入力がない場合には、内部時計の時刻を参照して、パフォーマンスを実行すべき時、たとえば正時かどうかを判断する（ステップＳＴ２２）。
正時でなかった場合にはステップＳＴ２１へ戻り、モニター入力があるかどうかをまた判断する。即ち、モニタースイッチ１２から入力があるか、正時になるまでは、ステップＳＴ２１，２２のループが繰り返される。
【００７６】
ステップＳＴ２１においてモニター入力があった場合、またはステップＳＴ２２において正時になったと判断した場合には、選択されているパフォーマンス（メロディ演奏およびＬＥＤ発光）を実行する（ステップＳＴ２３）。
パフォーマンスを規定するメロディの選択については、サイクリックパフォーマンスモードにおいては前述のように演奏すべきメロディをサイクリックに変化させるため、各メロディに番号を与えておき、この番号をカウントする図示しないメロディカウンタの値を所定条件で更新してゆき、このメロディカウンタの値に対応する番号のメロディを選択すればよい。
【００７７】
パフォーマンスの実行開始後には、メロディデータに基づいて、パフォーマンスが終了したかどうかを判定する（ステップＳＴ２４）。
パフォーマンス実行中には、制御回路１４は、モニタースイッチ１２からの入力があるかどうかを判断する（ステップＳＴ２５）。
モニタースイッチ１２からの割込み入力があった場合には、その時点において、制御回路１４はメロディカウンタの値を更新し、実行すべきパフォーマンスを更新してからステップＳＴ２３に戻り、新たに選択したパフォーマンスを実行する（ステップＳＴ２６）。
【００７８】
ステップＳＴ２５においてモニタースイッチ１２による割込み入力がなかった場合には、制御回路１４は、メロディデータに基づいて、実行されているパフォーマンスをメロディの終了時点で終了させ、その後メロディカウンタを更新することによって次に実行すべきパフォーマンスの情報を更新し、ステップＳＴ２１に戻る（ステップＳＴ２７）。
ステップＳＴ２４においてパフォーマンスが終了していると判断された場合にも、制御回路１４はパフォーマンスを更新してステップＳＴ２１に戻る。
【００７９】
本実施形態においては、サイクリックパフォーマンスモードの場合にも、モニター入力によるパフォーマンスの実行中には、正時になってもまた最初からパフォーマンスを実行し直すことはなく、その一方で、モニタースイッチ１２からの入力があるたびに、すぐに次のパフォーマンスを実行するようになっている。
【００８０】
以上のように、本実施形態によれば、季節または特定日に応じて、演奏されるメロディが自動的に変化し、また、発光するＬＥＤおよびその発光パターンも変化する。したがって、ユーザーに多様なパフォーマンスを自動的に提供することができ、結果的にユーザーに新鮮味のあるからくり動作を提供することができる。また、メロディおよびＬＥＤの色を適宜選択することによって、季節感のあるパフォーマンスを容易に提供することもできる。
さらに、本実施形態によれば、たとえばデザイン上の要求からＬＥＤを直接視認できない配置にした場合にも、ＬＥＤからの光を確実に視認することができ、発光パフォーマンスの効果を向上させることが可能である。
【００８１】
なお、本発明は上記の実施形態に限定されず、特許請求の範囲内で適宜変更可能である。たとえば、パフォーマンスのグループは四季に応じた４つのグループに限定されず、月ごとに設定してもよい。実施形態において記述したパフォーマンスは、たとえば定時における人形や文字板かざりの動作等の他のからくり動作と同期して行なうことも可能である。
また、ＬＥＤの各グループにおけるＬＥＤの数や色も任意である。ＬＥＤは、ユーザーから直接視認可能な場所に設置してもよいことは言うまでもない。ＬＥＤの代わりに、電球等の他の発光体を用いることも可能である。
時計本体部５０の構成要素の形状や材料についても、適宜変更可能である。たとえば、反射板５６は金属であってもよく、必ずしも回転する必要はない。
また、指針位置を自動修正しない、通常のクォーツ時計または機械時計に本発明を適用することももちろん可能である。
【００８２】
【発明の効果】
以上のように、本発明によれば、発光体が直接視認不可能な場所に設置されている場合にも、発光体の発光を確実に視認可能であり、発光によるパフォーマンス効果を向上可能な時計を提供することができる。
【図面の簡単な説明】
【図１】図１は、本発明の一実施形態に係るからくり時計の制御系の概略構成図である。
【図２】図２は本実施形態に係るからくり時計の構成を示す図であり、図２（ａ）が正面図を、図２（ｂ）が図２（ａ）における断面Ｉ−Ｉから見た断面図を示している。
【図３】図３は、図２に図解したからくり時計の主要部の分解図である。
【図４】図４は、図２（ｂ）の部分拡大図である。
【図５】図５は本発明に係る導光構造を説明するための図であり、図５（ａ）が文字板支持板の部分斜視図であり、図５（ｂ）が導光部を表側から見た部分平面図であり、図５（ｃ）が文字板支持板と反射板とＬＥＤとの関係を示す要部の断面図である。
【図６】図６は本発明に係る導光構造を説明するための図であり、図６（ａ）が反射板の部分斜視図であり、図６（ｂ）が反射板を表側から見た部分平面図であり、図６（ｃ）が文字板支持板と反射板とＬＥＤ１との関係を示す要部の断面図である。
【図７】図７は、標準電波の信号パターンを示す図であり、図７（ａ）は標準電波の波形の例を示しており、図７（ｂ）は図７（ａ）に示す波形に応じたパルス信号を示している。
【図８】図８は標準電波のタイムコードの一例を示す図であり、図８（ａ）は毎時１５分、４５分以外のフォーマットを示しており、図８（ｂ）は毎時１５分、４５分におけるフォーマットを示している。
【図９】図９は、本発明の一実施形態における四季連動パフォーマンスの実行処理の流れを示すフローチャートの一例である。
【図１０】図１０は、図９に示すフローチャートにおけるパフォーマンス選択処理の流れを示すフローチャートの一例である。
【図１１】図１１は、本発明の一実施形態におけるサイクリックパフォーマンスモードの実行処理の流れを示すフローチャートの一例である。
【符号の説明】
１０…回路基板
１１…標準電波受信系
１２…モニタースイッチ
１３…発振回路
１４…制御回路
１９…モード切替スイッチ
２１…メロディメモリ
２５…音源回路
ＳＰ…スピーカー
１７…バッファ回路
５０…時計本体部
７０…ムーブメント
７１…秒針
７２…時針
７３…分針
１２１…秒針用ステッピングモータ
１３１…時分針用ステッピングモータ
Ｍ…反射板用モータ
５２…裏蓋
５４…中板
５５…回転駆動板
５６…反射板
５６Ｇ…溝
９０…反射面
６０…文字板支持板
６０Ｂ…文字板支持部
６０Ｌ…導光部
６０ＬＣ…凸部
７４…文字板
７５，７６…歯車
７８…支持ローラー
５８…発光部
１ｓｐ，２ｓｐ，３ｓｐ…春用ＬＥＤ
１ｓｕ，２ｓｕ，３ｓｕ…夏用ＬＥＤ
１ａｕ，２ａｕ，３ａｕ…秋用ＬＥＤ
１ｗｉ，２ｗｉ，３ｗｉ…冬用ＬＥＤ
【図１】
2004045163.tif 000003
【図２】
2004045163.tif 000004
【図３】
2004045163.tif 000005
【図４】
2004045163.tif 000006
【図５】
2004045163.tif 000007
【図６】
2004045163.tif 000008
【図７】
2004045163.tif 000009
【図８】
2004045163.tif 000010
【図９】
2004045163.tif 000011
【図１０】
2004045163.tif 000012
【図１１】
2004045163.tif 000013